(57)【特許請求の範囲】
【請求項１】
非電解質の防腐剤と電解質の防菌剤とを所定の配合比で水道水（３）に混合して水道水単独の抵抗値とほぼ等しい抵抗値を有する溶液（６）と、捕獲したねずみを落下させるとともに内部に上記溶液（６）を収容する捕獲ボックス（２）と、上記溶液（６）に落下したねずみに電撃を与えるために捕獲ボックス（２）内で上記溶液（６）中に設けられた一対の電極（４）と、ねずみの捕獲時に一対の電極（４）に電圧を印加して上記溶液（６）に電撃用の電流を流す制御器（５）と、からなることを特徴とするねずみ捕獲装置（１）。
【請求項２】
水道水（３）に、非電解質の防腐剤としてプロピレングリコールおよび電解質の防菌剤として塩化ベンザルコニウム系の除菌洗浄剤を溶かして溶液（６）を構成することを特徴とする請求項１記載のねずみ捕獲装置（１）。
【発明の詳細な説明】
【０００１】
【産業上の利用分野】
本発明は、捕獲したねずみに水中で電撃を与えることによって、溺死させる捕獲装置に関する。
【０００２】
【従来の技術】
出願人は、電撃式のねずみ捕獲装置を開発している。そのねずみ捕獲装置は、捕獲ボックス中の水道水に捕獲したねずみを落下させ、水道水中の一対の電極に電圧を掛けて、水道水に電流を流し、ねずみに電撃を与えることによって、水道水によりねずみを溺死させる。この装置によって、良好な捕獲成績が得られた。
【０００３】
ところで、溺死状態のねずみが適当な時期に回収され、処理されれば、問題がないが、腐敗しやすい高温、多湿の季節のときに、溺死状態のねずみが長期間に渡って水道水中に処理されないままの状態で放置されると、やがてねずみが腐敗し、またねずみや水道水中に細菌が発生する。したがって、このような未回収状況のときに、非衛生的な状態が長時間続き、これが環境衛生上無視できない状態となっている。
【０００４】
【発明の目的およびその解決手段】
したがって、本発明の目的は、捕獲状態のねずみや電撃用の水の腐敗を未然に防止し、非衛生的な状態をなくすることである。
【０００５】
上記目的の下に、本発明は、水道水に代わるものとして、水道水に防腐剤例えばプロピレングリコールを防腐効果に適切な量だけ混入し、その溶液を電撃用の水道水に代わるものとして利用することを試みた。ところが、実験の結果、プロピレングリコールが非電解質のため、その水溶液の抵抗値が高くなり、通常の水道水のときの制御器（電源）をそのまま利用できなくなった。すなわち、上記溶液を用いるとき、一対の電極に対してかなり高い電圧の電源を接続しなければ、捕獲状態のねずみに対する電撃効果が不充分であった。このため、電源装置の変更を余儀なくされた。
【０００６】
したがって、本発明の他の目的は、防腐剤溶液の抵抗値を水道水だけの抵抗値とほぼ等しく設定することによって、水道水を用いるときの制御器（電源）をそのまま利用できるようにすることである。
【０００７】
そこで、本発明は、非電解質の防腐剤溶液に、電解質の防菌剤例えばサニサイドＦ〔イカリ薬品株式会社製造の商品名：塩化ベンザルコニウム系の除菌洗浄剤（成分：アルキルベンジルアンモニウムクロライド５〔％〕、アルキルトリメチルアンモニウムクロライド５〔％〕、炭酸ナトリウム、キレート剤、精装水）〕を混入することによって、それらの溶液の通電性を高め、その溶液の抵抗値を水道水単体の抵抗値とほぼ等しく設定することにより、電源を共通に利用できるようにしている。
【０００８】
【実施例】
図１は、本発明のねずみ捕獲装置１の概略的な構成を示している。ねずみ捕獲装置１は、主要部分として、捕獲ボックス２、水道水３、一対の電極４、制御器５、および上記水道水３に代わる溶液６によって構成されている。
【０００９】
捕獲ボックス２は、上面開口型で、捕獲したねずみを落下させるために、例えば両開き形式のシャッタ７を備えている。シャッタ７は、それぞれ水平な状態で捕獲ボックス２の開口位置にヒンジ８により回動自在に支持され、ばね１４により開く方向に付勢されていて、先端部分でソレノイド９によって駆動されるピン１０に当たって保持されており、またモータ１１により水平方向に設定できるようになっている。
【００１０】
水道水３は、捕獲したねずみに電撃を与えるためのもので、捕獲ボックス２の内部に収容され、殺菌用の塩素イオンによって、適当な抵抗値（実験例：水道水５〔ｌ〕、室温２５〔ｏ  Ｃ〕→平均の抵抗値４２５〔Ω〕）に保たれている。
【００１１】
一対の電極４は、水道水３の中に落下したねずみに電撃を与えるために、捕獲ボックス２の内部で、水道水３の中に対向状態で設けられており、電源を含む制御器５に接続されている。制御器５は、一対の電極４に適当な電圧を印加して、水道水３に電撃用の電流を流すほか、光電式または赤外線式のセンサ１２によってねずみの進入を検知し、また上記モータ１１やソレノイド９を動作させる。
【００１２】
そして、溶液６は、防腐、防菌のために、水道水３の代わりに用いられるものであり、容器１３に収容されていて、水例えば水道水に、防腐剤としてプロピレングリコール、防菌剤として、サニサイドＦを溶かした溶液である。ここで、防腐剤および防菌剤の配合比は、溶液６の抵抗値を水道水３の抵抗値とほぼ等しくなるように設定される。
【００１３】
プロピレングリコールは、非電解質のために水溶液として高い抵抗値を示す。これに対し、サニサイドＦは、電解質であって、溶液として比較的低い抵抗値の溶液となる。したがって、それらの配合比が適当に設定されるならば、それらを含む溶液６の抵抗値は、水道水３の抵抗値とほぼ等しくなる。
【００１４】
実験の結果、５〔ｌ〕水道水３の抵抗値は、前記のように、ほぼ４２５〔Ω〕であった。これに対し、水道水に、プロピレングリコール４４００〔ｍｌ〕、サニサイドＦ６００〔ｍｌ〕を混入すると、その溶液６の抵抗値は、４００〔Ω〕程度に設定できた。したがって、それらの配合比は、約７：１となる。
【００１５】
ねずみ捕獲装置１は、次のように動作する。ねずみが水平なシャッタ７の近くにくると、センサ１２がねずみの存在を検知して、制御器５に動作指令の信号を与える。そこで、制御器５は、まずソレノイド９を駆動することによって、一対のシャッタ７をばね１４の付勢力によって下向きに回動させて開き、ねずみを水道水３の中に落下させた後、一対の電極４に例えば１００〔Ｖ〕の電圧を掛け、水道水３に３００〔ｍＡ〕程度の電流値の電流を例えば２０〔秒〕間だけ流し、捕獲状態のねずみに電撃を与える。
【００１６】
このとき、ねずみは、電撃によって、仮死状態となり、水道水３の中にただようため、やがて呼吸不全となって、窒息すなわち溺死状態となる。このあと、制御器５は、モータ１１を回転させ、一対のシャッタ７を水平な状態として、次の捕獲に備える。捕獲したねずみは、短時間のうちに捕獲ボックス２の内部から取り出して、あるいは水道水３とともに処理される。
【００１７】
一方、腐敗しやすい温度等の環境で、しかもねずみの処理が長い時間に渡って行えないとき、捕獲状態のねずみが水道水３中で腐敗し、細菌等が発生しやすくなる。そこで、そのような場合に、水道水３に代わって溶液６が捕獲ボックス２の内部に収容される。この溶液６の抵抗値は、前述のように、水道水３の抵抗値とほぼ等しく設定されているため、一対の電極４に印加する電圧や電流値など電気的な条件を変更せず、そのまま利用できる。
【００１８】
また、この溶液６に防腐剤および防菌剤が溶かしてあるため、捕獲状態のねずみが溶液６の内部で長時間放置されたとしても、腐敗や細菌の発生が未然に防止できる。出願人の実験によると、常温下で、ほぼ３０日以上に渡って、捕獲状態のねずみを溶液中で放置しても、腐敗臭の発生がなく、抑制され、また溶液自体ににごりのない状態を維持できた。これに対して、水道水３のみでは、ほぼ３日間で、腐敗臭や水のにごりが発生した。
【００１９】
なお、防腐剤が電解質であれば、防菌剤は、非電解質のものから選択される。
【００２０】
【発明の効果】
本発明では、必要に応じて、水道水に代えて防腐・防菌用の溶液を用いられるので、溶液および溶液中のねずみに腐敗が進行せず、腐敗臭や細菌等の発生がなく、長時間に渡って衛生的な状態が維持できること、また水道水に代わって防腐・防菌用の溶液を用いても、電源系統の条件を変更することなく、水道水と同じ条件で利用できるため、電気的な条件の設定変更もなく、取り扱いが簡易で、装置の構成も簡略化できる。
【図面の簡単な説明】
【図１】本発明のねずみ捕獲装置の概略的な側面図である。
【符号の説明】
１  ねずみ捕獲装置
２  捕獲ボックス
３  水道水
４  電極
５  制御器
６  溶液
７  シャッタ
８  ヒンジ
９  ソレノイド
１０  ピン
１１  モータ
１２  センサ
１３  容器
１４  ばね
【図１】
0003555975.tif 000002